(57)【要約】
【課題】枕、座布団、腰当てなどに用いられるクッションにおいて、その用途に応じて立体形状を変化させることで汎用性を高める。
【解決手段】正方形袋状の外装袋２の内部に詰め物７を入れ、外装袋２の４つの隅部の外側に２組の紐５、５、６、６をその基部が互いに引き寄せられる形で結び合えるように設ける。外装袋２の１辺に開口部４を形成し、開口部４にファスナー３を取り付ける。これにより、１組または２組の紐５、５、６、６を結び合ったり、それを解いたりすれば、クッション１の立体形状が直方体状、傾斜台状、平板状などに変化する。
【選択図】図１
0003098988.tif 000002
【実用新案登録請求の範囲】
【請求項１】
外装袋（２）の内部に詰め物（７）を入れたクッション（１）において、
　前記外装袋の外側に１組の着脱自在連結片（５、５、６、６）をその基部が互いに引き寄せられる形で相互に連結しうるように設けたことを特徴とするクッション。
【請求項２】
外装袋（２）の内部に詰め物（７）を入れたクッション（１）において、
　前記外装袋の外側に２組の着脱自在連結片（５、５、６、６）をその基部が互いに引き寄せられる形で相互に連結しうるように設けたことを特徴とするクッション。
【請求項３】
外装袋（２）に開閉手段（３）を設けたことを特徴とする請求項１に記載のクッション。
【請求項４】
外装袋（２）に開閉手段（３）を設けたことを特徴とする請求項２に記載のクッション。
【考案の詳細な説明】
【技術分野】
【０００１】
　本考案は、枕、座布団、腰当てなどに用いられるクッションに関するものである。
【背景技術】
【０００２】
　従来この種のクッションとしては、その用途（枕、座布団、腰当てなど）に応じて棒状、平板状、ブロック状など各種の立体形状のものが販売されていた。
【考案の開示】
【考案が解決しようとする課題】
【０００３】
　しかし、これでは、クッションごとにその立体形状がほぼ決まっているため、１つのクッションを様々な用途に使い分けることができず、汎用性に乏しいという不都合があった。
【０００４】
　本考案は、このような事情に鑑み、用途に応じて立体形状を変化させることで汎用性を高めることが可能なクッションを提供することを目的とする。
【課題を解決するための手段】
【０００５】
　本考案は、外装袋（２）の内部に詰め物（７）を入れたクッション（１）において、前記外装袋の外側に１組または２組の着脱自在連結片（５、５、６、６）をその基部が互いに引き寄せられる形で相互に連結しうるように設けて構成される。さらに、外装袋（２）に開閉手段（３）を設けても構わない。ここで、着脱自在連結片の代表例として紐を挙げることができ、開閉手段の代表例としてファスナーを挙げることができる。
【０００６】
　こうした構成を採用することにより、着脱自在連結片を相互に連結したり、その連結を解除したりすれば、クッションの立体形状が変化するように作用する。
【考案の効果】
【０００７】
　本考案によれば、着脱自在連結片を相互に連結したり、その連結を解除したりすれば、クッションの立体形状が変化することから、用途に応じて立体形状を変化させることで汎用性を高めることが可能なクッションを提供することができる。
【考案を実施するための最良の形態】
【０００８】
　以下、本考案の実施形態を図面に基づいて説明する。
【０００９】
　図１は本考案に係るクッションの一実施形態を示す斜視図であって、（ａ）は外装袋内に詰め物を入れた状態図、（ｂ）は外装袋から詰め物を半分ほど取り出した状態図、
　図２は図１に示すクッションの紐を２組とも結び合った状態を示す斜視図、
　図３は図１に示すクッションの紐を１組だけ結び合った状態を示す斜視図、
　図４は図１に示すクッションの紐をすべて解いて単独で結んだ状態を示す斜視図、
　図５は図１に示すクッションの各種の使用状態を示す模式図であって、（ａ）はうたた寝用枕としての使用状態図、（ｂ）は抱き枕としての使用状態図、（ｃ）はテレビ鑑賞用枕としての使用状態図、（ｄ）はテレビ鑑賞用枕としての使用状態図、（ｅ）は読書用枕としての使用状態図、（ｆ）はごろ寝用枕としての使用状態図である。
【００１０】
　このクッション１は、図１に示すように、正方形袋状（つまり、２枚の正方形の布を縫い合わせて袋状にした形状）の外装袋２を有しており、外装袋２の４つの隅部２ａ、２ｂ、２ｃ、２ｄのうち隣り合う２つの隅部２ａ、２ｂの外側には２本１組の紐５、５が着脱自在連結片として縫い付けられているとともに、残り２つの隅部２ｃ、２ｄの外側には２本１組の紐６、６が着脱自在連結片として縫い付けられている。また、外装袋２の１辺には、図１（ｂ）に示すように、開口部４が形成されており、開口部４にはファスナー３が開閉手段として取り付けられている。さらに、外装袋２内には、そば殻、ストローなどをメッシュ状の中袋に入れた詰め物７が入っており、ファスナー３を開閉することにより、外装袋２から詰め物７を取り出すことができる。
【００１１】
　そして、このクッション１を使用する際には、次に述べるように、その用途に応じて立体形状を変えることにより、様々な使い方が可能となる。
【００１２】
　まず、図５（ａ）〜（ｃ）に示すように、うたた寝用枕、抱き枕、テレビ鑑賞用枕としてクッション１を使用するときには、図２に示すように、紐５、５をその基部、ひいては外装袋２の２つの隅部２ａ、２ｂが互いに引き寄せられる形で結び合うとともに、紐６、６をその基部、ひいては外装袋２の残り２つの隅部２ｃ、２ｄが互いに引き寄せられる形で結び合う。すると、クッション１は直方体状（六面体状）になるので、うたた寝用枕などとして使用するのに適する。
【００１３】
　また、図５（ｄ）、（ｅ）に示すように、テレビ鑑賞用枕、読書用枕としてクッション１を使うときには、図３に示すように、１組の紐５、５をその基部、ひいては外装袋２の２つの隅部２ａ、２ｂが互いに引き寄せられる形で結び合い、もう１組の紐６、６をそのままにしておく。すると、クッション１は傾斜台状（五面体状）になるので、テレビ鑑賞用枕などとして使うのに適する。
【００１４】
　さらに、図５（ｆ）に示すように、ごろ寝用枕、座布団、腰当てとしてクッション１を用いるときには、図４に示すように、２組の紐５、５、６、６をそのままにしておく。このとき、各紐５、５、６、６が邪魔にならないよう、それぞれ単独で結んで短くしておくのが望ましい。すると、クッション１は平板状のままなので、ごろ寝用枕などとして用いるのに適する。
【００１５】
　このように、クッション１は各種の用途に応じて立体形状を変化させることができるので、これ１つで様々な用途に使い分けることが可能となり、汎用性に優れる。
【００１６】
　なお、上述の実施形態においては、外装袋２の４つの隅部２ａ、２ｂ、２ｃ、２ｄに２組の紐５、５、６、６を縫い付けたクッション１について説明したが、外装袋２の２つの隅部２ａ、２ｂに紐５、５を１組だけ縫い付けるようにしてもよい。この場合、クッション１は直方体状（六面体状）にすることはできないが、傾斜台状（五面体状）や平板状にすることは可能である。
【００１７】
　また、上述の実施形態においては、正方形袋状の外装袋２を有するクッション１について説明したが、外装袋２の形状は正方形袋状に限るわけではなく、長方形袋状や円形袋状、だ円形袋状の外装袋２を代用することもできる。
【００１８】
　また、上述の実施形態においては、着脱自在連結片として紐５、５、６、６を採用した場合について説明したが、紐５、５、６、６以外の着脱自在連結片（例えば、合成樹脂製のバックルなど）を代用してもよい。
【００１９】
　さらに、上述の実施形態においては、開閉手段としてファスナー３を採用した場合について説明したが、ファスナー３以外の着脱自在連結片（例えば、ボタン、スナップボタン、面ファスナーなど）を代用しても構わない。
【図面の簡単な説明】
【００２０】
【図１】本考案に係るクッションの一実施形態を示す斜視図であって、（ａ）は外装袋内に詰め物を入れた状態図、（ｂ）は外装袋から詰め物を半分ほど取り出した状態図である。
【図２】図１に示すクッションの紐を２組とも結び合った状態を示す斜視図である。
【図３】図１に示すクッションの紐を１組だけ結び合った状態を示す斜視図である。
【図４】図１に示すクッションの紐をすべて解いて単独で結んだ状態を示す斜視図である。
【図５】図１に示すクッションの各種の使用状態を示す模式図であって、（ａ）はうたた寝用枕としての使用状態図、（ｂ）は抱き枕としての使用状態図、（ｃ）はテレビ鑑賞用枕としての使用状態図、（ｄ）はテレビ鑑賞用枕としての使用状態図、（ｅ）は読書用枕としての使用状態図、（ｆ）はごろ寝用枕としての使用状態図である。
【符号の説明】
【００２１】
　１……クッション
　２……外装袋
　３……ファスナー（開閉手段）
　５、６……紐（着脱自在連結片）
　７……詰め物
【図１】
0003098988.tif 000003
【図２】
0003098988.tif 000004
【図３】
0003098988.tif 000005
【図４】
0003098988.tif 000006
【図５】
0003098988.tif 000007